(57)【要約】      （修正有）【課題】名刺交換の円滑な進行に資するとともに、実用性の高い名刺入れを提供する。【解決手段】平面方形状をなし、幅方向の中央に折り部１１１を有し、折り部を介して幅方向の一方の片部１１２と他方の片部１１３とを互いに対向して開くように構成された本体部１１と、一方の片部に設けられた第１名刺入れ部と、他方の片部に設けられた第２名刺入れ部とを備える名刺入れであり、折り部に設けられた第３名刺入れ部をさらに備え、第３名刺入れ部は、一方の片部に接合された基端部を有し、基端部から折り部で折曲可能に延在する第１名刺保持片部と、第１名刺保持片部１２に対して本体部の幅方向に対向して配置され、他方の片部に接合された基端部１４１ａを有し、基端部から折り部で第１名刺保持片部とは反対側に折曲可能な第２名刺保持片部１３とを有し、第１名刺保持片部および第２名刺保持片部は、第３名刺入れ部１４の幅方向の端部で互いに接合される。【選択図】図１
0003233721.tif 000002
【実用新案登録請求の範囲】
【請求項１】
平面方形状をなすとともに、幅方向の中央に折り部を有し、前記折り部を介して前記幅方向の一方の片部と他方の片部とを互いに対向して開くように構成された本体部と、
前記一方の片部に設けられた第１名刺入れ部と、
前記他方の片部に設けられた第２名刺入れ部と、
前記折り部に設けられた第３名刺入れ部と
を備え、
前記第３名刺入れ部は、
前記一方の片部に接合された基端部を有し、当該基端部から前記折り部で折曲可能に延在する第１名刺保持片部と、
前記第１名刺保持片部に対して前記本体部の幅方向に対向して配置され、前記他方の片部に接合された基端部を有し、当該基端部から前記折り部で前記第１名刺保持片部とは反対側に折曲可能に延在する第２名刺保持片部と
を有し、
前記第１名刺保持片部および前記第２名刺保持片部は、当該第３名刺入れ部の幅方向の端部で互いに接合されていることを特徴とする、名刺入れ。
【請求項２】
前記第３名刺入れ部は、上端部に円弧状の切欠きを有することを特徴とする、請求項１に記載の名刺入れ。
【請求項３】
前記第２名刺入れ部は、幅方向の端部が前記他方の片部に接合された名刺保持片部を有し、
前記第２名刺入れ部と前記第３名刺入れ部とは、前記幅方向に直交する方向の寸法が互いに等しいことを特徴とする、請求項１に記載の名刺入れ。
【請求項４】
前記第１名刺保持片部および前記第２名刺保持片部は、前記第２名刺入れ部の名刺保持片部よりも高い剛性を有することを特徴とする、請求項１に記載の名刺入れ。
【請求項５】
前記第３名刺入れ部は、前記本体部と同じ素材により形成されていることを特徴とする、請求項１に記載の名刺入れ。
【請求項６】
前記第１名刺入れ部は、収められる名刺の表面全域に亘って延在する名刺保持片部を有するとともに、当該名刺保持片部を、前記一方の片部に対し、前記一方の片部から離れる方向に拡張可能に支持するまち部を有することを特徴とする、請求項１に記載の名刺入れ。
【考案の詳細な説明】
【技術分野】
【０００１】
本考案は、折曲式の名刺入れに関する。
【背景技術】
【０００２】
名刺入れとして、幅方向の中央で折曲可能に構成され、中央の折り部に対する一方または両方の片部に名刺またはカード等を差込可能な収納部を備えるものが一般的に知られている（特許文献１）。従来の名刺入れでは、使用者は、名刺交換の際に、折り曲げられた状態にある名刺入れを開き、展開した後、これら２つの片部のうちいずれかの収納部に差し込まれている名刺を取り出し、名刺交換に臨む。
【先行技術文献】
【特許文献】
【０００３】
【特許文献１】実用新案登録第２５８８３６６号公報
【考案の概要】
【考案が解決しようとする課題】
【０００４】
名刺入れの動きに意外性があり、これにより、初対面の相手との名刺交換の際に互いの緊張が解れ、会話を弾ませることができれば、有益である。
【０００５】
前掲特許文献１には、幅方向の中央で二つ折りに折曲可能に構成されるとともに、中央の折り部に粘着テープ等により取り付けられ、名刺、クレジットカードまたは運転免許証等類を挟持可能な挟持部を備える名刺入れが記載されている。
【０００６】
特許文献１に記載の名刺入れによると、例えば、名刺交換に先立って予め自己の名刺を挟持部に挟んでおき、実際の名刺交換の際に名刺入れを開くと、先に挟んでおいた名刺が起立状態となる。よって、使用者は、自己の名刺を挟持部から簡単に抜き取り、名刺交換を円滑に達成することが可能である。
【０００７】
しかし、特許文献１に記載のものにおいて、挟持部は、軟性のゴム等により形成され、名刺入れの折り部に粘着テープ等により取り付けられるものであり、この点、特別な要素が付加されている印象は否めず、さらに、挟持部により名刺等の隅部を挟んで保持する構造であることから、脱落の可能性があり、他方で、脱落を防止するために挟持力を高めようとすれば、名刺の変形が懸念される。
【０００８】
このような実情に鑑み、本考案は、名刺交換の円滑な進行に資するとともに、実用性の高い名刺入れを提供することを目的とする。
【課題を解決するための手段】
【０００９】
請求項１に記載の発明は、平面方形状をなすとともに、幅方向の中央に折り部を有し、前記折り部を介して前記幅方向の一方の片部と他方の片部とを互いに対向して開くように構成された本体部と、前記一方の片部に設けられた第１名刺入れ部と、前記他方の片部に設けられた第２名刺入れ部とを備える、折曲式の名刺入れを提供する。請求項１に記載の発明にあっては、前記折り部に設けられた第３名刺入れ部をさらに備え、前記第３名刺入れ部は、前記一方の片部に接合された基端部を有し、当該基端部から前記折り部で折曲可能に延在する第１名刺保持片部と、前記第１名刺保持片部に対して前記本体部の幅方向に対向して配置され、前記他方の片部に接合された基端部を有し、当該基端部から前記折り部で前記第１名刺保持片部とは反対側に折曲可能に延在する第２名刺保持片部とを有し、前記第１名刺保持片部および前記第２名刺保持片部は、当該第３名刺入れ部の幅方向の端部で互いに接合されていることを特徴とする。
【００１０】
請求項２に記載の発明にあっては、前記第３名刺入れ部は、上端部に円弧状の切欠きを有することを特徴とする。
【００１１】
請求項３に記載の発明にあっては、前記第２名刺入れ部は、幅方向の端部が前記他方の片部に接合された名刺保持片部を有し、前記第２名刺入れ部と前記第３名刺入れ部とは、前記幅方向に直交する方向の寸法が互いに等しいことを特徴とする。
【００１２】
請求項４に記載の発明にあっては、前記第１名刺保持片部および前記第２名刺保持片部は、前記第２名刺入れ部の名刺保持片部よりも高い剛性を有することを特徴とする。
【００１３】
請求項５に記載の発明にあっては、前記第３名刺入れ部は、前記本体部と同じ素材により形成されていることを特徴とする。
【００１４】
請求項６に記載の発明にあっては、前記第１名刺入れ部は、収められる名刺の表面全域に亘って延在する名刺保持片部を有するとともに、当該名刺保持片部を、前記一方の片部に対し、前記一方の片部から離れる方向に拡張可能に支持するまち部を有することを特徴とする。
【考案の効果】
【００１５】
請求項１に記載の考案によれば、名刺交換に際して使用者が一方の片部と他方の片部とを把持して名刺入れを開くと、第１名刺保持片部および第２名刺保持片部のそれぞれが本体部に対して基端部により支持され、本体部にかかる力が基端部を介して第１および第２名刺保持片部に作用し、第３名刺入れ部が本体部に対して起立した状態となる。これにより、名刺交換の相手方は、自身に対して「名刺をお取りください」とばかりに差し出された状態にある第３名刺入れ部の名刺を把持し、受け取ることが可能である。これにより、名刺入れの動きに意外性が得られ、初対面の相手との名刺交換においても互いの緊張を解すことができ、会話を弾ませることが可能となる。
【００１６】
さらに、第３名刺入れ部の第１および第２名刺保持片部が、いずれも基端部を介して本体部の各片部に接合され、幅方向の端部で互いに接合された状態にあることで、第３名刺入れ部に対し、名刺をその一辺に沿った端縁部全体に亘って包囲した状態で収めることが可能である。これにより、名刺をその一部（例えば、隅部）において局所的に挟持することによるものと比較して、隅部が折れ曲がるなどの支障を生じさせることなく、名刺を綺麗な状態のままで保持することが可能となる。
【００１７】
このように、請求項１に記載の考案によれば、初対面の相手との名刺交換に際し、互いの緊張を解すことにより、名刺交換の円滑な進行に資するとともに、名刺を綺麗な状態のままで保持可能であることにより、より実用性の高い名刺入れを提供することが可能である。
【００１８】
請求項２に記載の考案によれば、名刺交換の相手方は、第３名刺入れ部の上端部に形成された切欠きを介して名刺を把持することが可能となるので、名刺をより簡単に受け取ることが可能である。
【００１９】
請求項３に記載の考案によれば、第２名刺入れ部と第３名刺入れ部とがそれぞれの幅方向に直交する方向に等しい寸法を有することで、名刺の脱落をより確実に抑制するとともに、デザイン性の優れた名刺入れを提供することが可能である。
【００２０】
請求項４に記載の考案によれば、第３名刺入れ部の名刺保持片部（第１名刺保持片部および第２名刺保持片部）が第２名刺入れ部の名刺保持片部よりも高い剛性を有することで、名刺交換の際に第３名刺入れ部をより確実に起立させるとともに、起立した状態を維持し、名刺交換のより円滑な進行を促すことが可能である。
【００２１】
請求項５に記載の考案によれば、第３名刺入れ部が本体部と同じ素材により形成されていることで、名刺入れ全体での一体感を増進し、デザイン性の向上を図ることが可能である。
【００２２】
請求項６に記載の考案によれば、第１名刺入れ部がその名刺保持片部を本体部（一方の片部）に対して拡張可能に支持するまち部を有することで、第１名刺入れ部により多数の名刺を収納することができ、名刺入れの実用性の更なる増進を図ることが可能である。
【図面の簡単な説明】
【００２３】
【図１】図１は、本発明の一実施形態に係る名刺入れ１の全体的な構成を示す斜視図である。
【図２】図２は、同上実施形態に係る名刺入れ１の折畳時における状態（折畳状態）を側面視により模式的に示す図である。
【図３】図３は、同上実施形態に係る名刺入れ１の展開時における状態（展開状態）を側面視により模式的に示す図である。
【考案を実施するための形態】
【００２４】
以下に添付の図面を参照して、本発明の実施の形態について説明する。
【００２５】
図１は、本発明の一実施形態に係る名刺入れ１の全体的な構成を示す斜視図である。
【００２６】
図２および３は、いずれも本実施形態に係る名刺入れ１を側面視により模式的に示しており、図２は、名刺入れ１を折畳時における状態で、図３は、名刺入れ１を展開時における状態で、夫々示す。折畳時の状態（以下「折畳状態」という）では、名刺入れ１は、本体部１１がその中央の折り部１１１で折り曲げられ、各片部１１２、１１３が互いに素材の剛性により引き寄せられた状態にある。他方で、展開時の状態（以下「展開状態」という）では、名刺入れ１は、各片部１１２、１１３が互いにやや離間し、本体部１１が平坦に近い状態にある。一般的には、折畳状態は、名刺入れ１が運搬または保管の際に置かれる状態であり、展開状態は、使用の際、つまり、名刺交換を行う際に置かれる状態である。
【００２７】
図２および３を適宜に参照しながら、主に図１を参照して、本実施形態に係る名刺入れ１について説明する。
【００２８】
名刺入れ１は、いわゆる折曲式の名刺入れであり、幅方向ｗ１の中央で二つ折りに折曲可能に構成され、中央の折り部１１１に対するそれぞれの片部１１２、１１３に、名刺Ｃ２、Ｃ３（図３）を差込可能な名刺入れ部１２、１３を備える。
【００２９】
名刺入れ１は、本体部１１と、複数の名刺入れ部１２〜１４とを備える。本実施形態では、これら複数の名刺入れ部として、第１名刺入れ部１２、第２名刺入れ部１３および第３名刺入れ部１４を備える。本実施形態では、本体部１１は、皮製であり、第１〜第３名刺入れ部１２〜１４は、いずれも本体部１１と同じ素材からなる。
【００３０】
本体部１１は、名刺入れ１を開いた状態（展開状態）の平面視で概略方形状、具体的には、長辺および短辺を有する長形状をなすとともに、長辺に沿った幅方向ｗ１の中央に折り部１１１を有し、折り部１１１を境界にして幅方向ｗ１の一方の片部１１２と他方の片部１１３とを互いに対して閉じたり、開いたりすることが可能である。図２は、本体部１１を閉じた状態で示し、図３は、本体部１１を開いた状態で示す。
【００３１】
第１名刺入れ部１２は、一方の片部１１２に設けられ、次に述べる第２名刺入れ部１３と比較してより多くの枚数の名刺Ｃ２を保持可能に構成されている。図３は、第１名刺入れ部１２に収められた名刺Ｃ２を、二点鎖線により模式的に示す。本実施形態では、第１名刺入れ部１２は、本体部１１の内面に対向して配置され、一方の片部１１２との間に名刺Ｃ２の収納空間を形成する名刺保持片部１２ａを有するとともに、名刺保持片部１２ａを、一方の片部１１２に対し、当該一方の片部１１２から離れる方向に拡張可能に支持するまち部１２ｂを有する。さらに、本実施形態では、名刺保持片部１２ａは、第１名刺入れ部１２に収められる名刺Ｃ２をその表面全域に亘って覆う程度の広さないし寸法を有する。
【００３２】
第２名刺入れ部１３は、他方の片部１１３に設けられ、他方の片部１１３との間に名刺Ｃ３の収納空間を形成する名刺保持片部１３ａを、当該他方の片部１１３に対して直に（つまり、第１名刺入れ部１２と異なり、まちとなる部材を介さずに）接合させることで、比較的少数の名刺Ｃ３を保持可能に構成されている。図３は、第２名刺入れ部１３に収められた名刺Ｃ３を、二点鎖線により模式的に示す。
【００３３】
第３名刺入れ部１４は、一方の片部１１２および他方の片部１１３のいずれからも独立した名刺入れ部として形成される。換言すれば、先に述べた第１および第２名刺入れ部１２、１３は、名刺入れ１を折り畳みまたは展開する際の本体部１１の動作に応じてそれぞれが設けられる各片部１１２、１１３に随伴して開閉方向に移動するのに対し、第３名刺入れ部１４は、いずれの片部１１２、１１３にも随伴しない名刺入れ部である。
【００３４】
本実施形態では、第３名刺入れ部１４は、大別すると２つの部材、つまり、第１名刺保持片部１４１と第２名刺保持片部１４２とを有する。第１名刺保持片部１４１は、その基端部１４１ａが一方の片部１１２に接合され、図３に示す展開状態において、基端部１４１ａから、一方の片部１１２に対する離間側に延在する。第１名刺保持片部１４１は、本体部１１の折り部１１１を中心として、一方の片部１１２に対して近づいたり、離れたりする方向に折曲可能である。
【００３５】
これに対し、第２名刺保持片部１４２は、第１名刺保持片部１４１に対して本体部１１の幅方向ｗ１に向かい合うように配置され、その基端部１４２ａが他方の片部１１３に接合され、基端部１４２ａから、他方の片部１１３に対する離間側に延在する。第２名刺保持片部１４２は、本体部１１の折り部１１１を中心として、他方の片部１１３に対して近づいたり、離れたりする方向に、第１名刺保持片部１４１とは反対側に折曲可能である。
【００３６】
第１名刺保持片部１４１と第２名刺保持片部１４２とは、第３名刺入れ部１４の幅方向ｗ２の端部で互いに接合されている。本実施形態では、第１名刺保持片部１４１と第２名刺保持片部１４２との接合は、縫合による。ここで、第３名刺入れ部１４の幅方向ｗ２は、第１名刺入れ部１２および第２名刺入れ部１３の幅方向と等しく（つまり、平行であり）、本体部１１の幅方向ｗ１に対して垂直である。第３名刺入れ部１４の幅方向ｗ２の寸法、つまり、第３名刺入れ部１４の幅は、第２名刺入れ部１３の幅と等しく、第１名刺入れ部１４２の幅とほぼ等しい。ここで、ほぼ等しい幅とは、同じ寸法の名刺を同じ向きに収めるに際して、名刺入れ部の幅がその妨げとならないことをいう。第１および第２名刺保持片部１４１、１４２は、それらの内面により前後を画成される空間として名刺Ｃ１の収納空間を形成し、この収納空間に、第２名刺入れ部１３と同数程度の比較的少数の名刺Ｃ１を保持可能である。
【００３７】
第１名刺保持片部１４１および第２名刺保持片部１４２の基端部１４１ａ、１４２ａは、本体部１１の表面を形成するシート状素材と、本体部１１の内面ないし裏面を形成するシート状素材との間に介在させてもよいし、本体部１１の内面を形成するように内側に配置しながら、本体部１１の表面を形成する外装材ないしシート材素材と重ね合わせ、互いに接合させてもよい。第１名刺保持片部１４１および第２名刺保持片部１４２は、それぞれの基端部１４１ａ、１４２ａが本体部１１の各片部１１２、１１３に接合されることで、名刺入れ１を開閉する際に各片部１１２、１１３により基端部１４１ａ、１４２にかけられる力が、折り部１１１を介してそれぞれに伝達される状態にあればよい。ここで、名刺入れ１の開閉に際して各片部１１２、１１３に伝達される力は、互いに反対方向の関係にある。
【００３８】
以上に加え、本実施形態では、第３名刺入れ部１４は、本体部１１ないしその折り部１１１に対する接合部とは反対側の上端部１４ａが円弧状に形成され、折り部１１１から離れた第３名刺入れ部１４上端の端縁部１４ａに、折り部１１１に向けて凸となる円弧状の切欠きを有する。
【００３９】
さらに、第３名刺入れ部１４を形成する部材、つまり、第１名刺保持片部１４１および第２名刺保持片部１４２は、他の名刺入れ部、特に第２名刺入れ部１３の名刺保持片部よりも高い剛性を有する。剛性を高める方法として、用いられる素材の厚さを異ならせること以外に、同じ厚さの素材を用いながらも異なる加工を施すことを例示することが可能である。
【００４０】
使用者は、第１〜第３名刺入れ部１２〜１４のうち適宜のものに名刺Ｃ１〜Ｃ３を収めた状態で名刺入れ１を二つ折りにして折畳状態とし、バンドまたはストラップ状の拘束具１０１ａを掛け回して保持片１０１ｂに係止し（図２）、名刺入れ１が折畳状態に保持されるようにして、鞄またはバッグ等の収容具に入れて持ち運ぶ。
ここで、名刺交換の際に第３名刺入れ部１４の使用を予定している場合は、第３名刺入れ部１４に１枚または複数の名刺Ｃ１を予め差し込んでおく。そして、名刺入れ１の実際の使用、つまり、名刺交換に際し、使用者は、本体部１１の拘束具１０１ａを保持片１０１ｂから外して、名刺入れ１を開閉可能な状態とした後、一対の片部１１２、１１３のそれぞれを掴みまたは摘まんで、各片部１１２、１１３を互いに離れるように動かして展開させ、名刺入れ１を展開状態とする。
この場合、使用者が各片部１１２、１１３にかけた力が基端部１４１ａ、１４２ａを介して第１名刺保持片部１４１および第２名刺保持片部１４２のそれぞれに伝達され、第１および第２名刺保持片部１４１、１４２を互いに対して逆向きに、換言すれば、外側に開くように回転させようとするが、第１および第２名刺保持片部１４１、１４２がそれらの端部で互いに接合されているため、両者に作用する力が互いに均衡し、第３名刺入れ部１４がほぼ平坦な状態にある本体部１１に対して起立した状態となる。この状態で、名刺交換の相手方は、自身に対して「名刺をお取りください」とばかりに差し出された状態にある第３名刺入れ部１４の名刺Ｃ１を把持し、受け取ることが可能である。
【００４１】
本実施形態に係る名刺入れ１は、以上のような構成を有する。以下に、本実施形態により得られる効果について説明する。
【００４２】
本実施形態では、名刺交換に際して使用者が一方の片部１１２と他方の片部１１３とを把持して名刺入れ１を開くと、第１名刺保持片部１４１および第２名刺保持片部１４２のそれぞれが本体部１１に対して基端部１４１ａ、１４２ａにより支持され、使用者が本体部１１に及ぼす力が基端部１４１ａ、１４２ａを介して第１および第２名刺保持片部１４１、１４２に作用する。ここで、第１名刺保持片部１４１と第２名刺保持片部１４２とは、折り部１１１を中心として互いに開放方向に折曲可能な状態にあり、互いに接合された状態にあることから、第１名刺保持片部１４１に作用する力と第２名刺保持片部１４２に作用する力とが均衡し、第３名刺入れ部１４が本体部１１に対して起立した状態となる。
これに対し、名刺交換の相手方は、自身に対して「名刺をお取りください」とばかりに差し出された状態にある第３名刺入れ部１４の名刺Ｃ１を把持し、受け取ることが可能である。
【００４３】
これにより、展開時における名刺入れの動きに第３名刺入れ部１４が起立するという意外性が得られ、初対面の相手との名刺交換においても互いの緊張を解し、会話を弾ませることが可能となる。
【００４４】
さらに、本実施形態では、第３名刺入れ部１４の第１および第２名刺保持片部１４１、１４２が、いずれも基端部１４１ａ、１４２ａを介して本体部１１の各片部１１２、１１３に接合され、幅方向ｗ２の端部で互いに接合された状態にあることで、第３名刺入れ部１４に対し、名刺Ｃ１をその一辺に沿った端縁部（本実施形態では、長形状の名刺Ｃ１の長辺部）全体に亘って包囲した状態で収めることが可能である。
【００４５】
これにより、名刺Ｃ１をその一部（例えば、隅部）において局所的に挟持することによるものと比較して、名刺Ｃ１の隅部が折れ曲がるなどの支障を生じさせることなく、名刺Ｃ１を綺麗な状態のままで保持し、持ち運ぶことが可能である。
【００４６】
このように、本実施形態によれば、初対面の相手に対して互いの緊張を解すことにより、名刺交換の円滑な進行に資するとともに、名刺Ｃ１を綺麗な状態のままで保持可能であることにより、より実用性の高い名刺入れ１を提供することが可能である。
【００４７】
以上に加え、本実施形態によれば、以下のような効果を得ることが可能である。
【００４８】
第３名刺入れ部１４の上端部が円弧状とされていることで、名刺交換の相手方は、第３名刺入れ部１４上端の切欠きを介して名刺Ｃ１を把持することが可能となるので、名刺Ｃ１をより簡単に受け取ることができる。
【００４９】
第２名刺入れ部１３と第３名刺入れ部１４とがそれぞれの幅方向ｗ２に直交する方向に等しい寸法を有することで、名刺Ｃ３、Ｃ１の脱落をより確実に抑制するとともに、デザイン性の優れた名刺入れ１を提供することが可能である。
【００５０】
第３名刺入れ部１４の名刺保持片部（第１名刺保持片部１４１および第２名刺保持片部１４２）が第２名刺入れ部１３の名刺保持片部よりも高い剛性を有することで、名刺交換の際に第３名刺入れ部１４をより確実に起立させるとともに、起立した状態を維持し、名刺交換のより円滑な進行を促すことが可能である。
【００５１】
第３名刺入れ部１４が本体部１１と同じ素材により形成されていることで、名刺入れ１全体での一体感を増進し、デザイン性の向上を図ることが可能である。
【００５２】
第１名刺入れ部１２がその名刺保持片部を本体部１１（一方の片部１１２）に対して拡張可能に支持するまち部１２ｂを有することで、第１名刺入れ部１２により多数の名刺Ｃ２を収容することが可能となり、名刺入れ１の実用性の更なる増進を図ることができる。
【００５３】
本実施形態では、名刺Ｃ１〜Ｃ３の形状を一般的な長形状とし、第３名刺入れ部１４により名刺Ｃ１の長辺部を包囲可能とした。しかし、第３名刺入れ部１４により包囲可能とするのは、長形状の名刺Ｃ１の長形部および短辺部のいずれであってもよい。名刺Ｃ１の短辺部を包囲可能とすることで、名前や所属等の名刺情報の記載の向きが異なる場合、つまり、名刺Ｃ１が縦向きに使用されている場合に対応することが可能となり、より広範な用途に使用可能な名刺入れ１を提供することができる。
【００５４】
さらに、本実施形態では、第３名刺入れ部１４の上端部を円弧状とした。しかし、第３名刺入れ部１４上端の形状は、これに限定されるものではなく、円弧状に代えて直線状とすることも可能である。これにより、第３名刺入れ部１４の形状の簡略化を通じて、名刺入れ１の作製にかかる工数の削減を図ることが可能である。
【００５５】
さらに、本実施形態では、本体部１１を、皮製とし、第１名刺入れ部１２、第２名刺入れ部１３および第３名刺入れ部１４を、いずれも本体部１１と同じ皮製とした。しかし、本体部１１と第１〜第３名刺入れ部１２、１３、１４とを異なる素材により形成したり、第１〜第３名刺入れ部１２、１３、１４を互いに異なる素材により形成したりすることも可能である。例えば、第１名刺入れ部１２および第２名刺入れ部１３を本体部１１と同じ皮製とする一方、第３名刺入れ部１４を本体部１１とは異なる素材、例えば、プラスチック製とするのである。
【００５６】
さらに、本実施形態では、名刺入れ１に収める対象を名刺Ｃ１〜Ｃ３としたが、収納可能なものは、名刺に限定されるものではない。クレジットカード、キャッシュカード、メッセージカードまたは運転免許証等の各種ＩＤカード等、名刺とほぼ同寸法かつ同形状のカードないしカード状片材を収納することが可能である。
【００５７】
さらに、第１〜第３名刺入れ部１２〜１４に名刺Ｃ１〜Ｃ３を収める方向は、本実施形態のような横向きに限らず、長形状の名刺の短辺部を先頭として収める方向、つまり、縦向きとすることも可能である。
【符号の説明】
【００５８】
１…名刺入れ
１１…本体部
１１１…折り部
１１２…一方の片部
１１３…他方の片部
１２…第１名刺保持片部
１３…第２名刺保持片部
１４…第３名刺保持片部
１４ａ…上端部
１４１…第１名刺保持片部
１４１ａ…基端部
１４２…第２名刺保持片部
１４２ａ…基端部
Ｃ１、Ｃ２、Ｃ３…名刺
ｗ１、ｗ２…幅方向
【図１】
0003233721.tif 000003
【図２】
0003233721.tif 000004
【図３】
0003233721.tif 000005